(57)【要約】【課題】河川や海岸等の各種水域に設置された既設堤を嵩上げする場合に、既存堤への影響が小さく、容易に施工可能な嵩上げ堤、及び既設堤の嵩上げ方法を提供する。【解決手段】河川や海岸等の各種水域に設置された既設堤２を嵩上げするための嵩上げ堤１において、断面略コ字形で前記既設堤２方向に開口部を有し、前記既設堤２の上端部との間に中空部を形成する平板連結体３と、前記平板連結体３の内側に突出し、前記既設提２の上端部に当接して既設提２に対する垂直方向の位置を決める位置決め部５と、前記平板連結体３の両側板４，４を前記既設堤２の上部両側壁に固定する固定部材７と、前記平板連結体３の両側板４，４を連結する棒状の連結部６からなる。【選択図】図１
2006045814.tif 000002
【特許請求の範囲】
【請求項１】
河川や海岸等の各種水域に設置された既設堤を嵩上げするための嵩上げ堤において、
断面略コ字形で前記既設堤方向に開口部を有し、前記既設堤の上端部との間に中空部を形成する平板連結体と、
前記平板連結体の内側に突出し、前記既設提の上端部に当接して既設提に対する垂直方向の位置を決める位置決め部と、
前記平板連結体の両側板を前記既設堤の上部両側壁に固定する固定部材とからなることを特徴とする嵩上げ堤。
【請求項２】
前記平板連結体の両側板を連結する棒状の連結部をさらに備えることを特徴とする請求項１に記載の嵩上げ堤。
【請求項３】
前記平板連結体は、断面略Ｌ字形の２枚の平板を上部で合わせてなり、幅調整可能な連結具を介して合わせ幅を増減することにより前記平板連結体の幅方向の間隔を調整可能としたことを特徴とする請求項１又は請求項２に記載の嵩上げ堤。
【請求項４】
前記平板連結体は、長手方向に延びるヒンジ部を設けることにより、少なくとも一方の側板の下端部を折曲可能な可変プレートとしたことを特徴とする請求項１乃至請求項３のうちいずれか一つに記載の嵩上げ堤。
【請求項５】
前記平板連結体の両側板のうち、前記各種水域に設置したときに沖側部位となる側板に、上部と下部が沖側に向かって迫り出すような湾曲面が設けられたことを特徴とする請求項１乃至請求項４のうちいずれか一つに記載の嵩上げ堤。
【請求項６】
河川や海岸等の各種水域に設置された既設堤の嵩上げ方法において、
断面略コ字形で内側に突出した位置決め部を設けた平板連結体を、開口部を前記既設堤方向に向け、かつ前記位置決め部を前記既設堤の上端部に当接し、さらに前記平板連結体の両側板を前記既設提の上部両側壁に固定して嵩上げすることを特徴とする既設堤の嵩上げ方法。
【請求項７】
前記平板連結体は、断面略Ｌ字形の２枚の平板を上部で合わせてなり、幅調整可能な連結具を介して合わせ幅を増減することにより前記平板連結体の幅方向の間隔を調整可能としたことを特徴とする請求項６に記載の既設堤の嵩上げ方法。
【発明の詳細な説明】
【技術分野】
【０００１】
本発明は、河川や海岸等の各種水域に設置された既設堤を嵩上げするための嵩上げ堤、及び既設堤の嵩上げ方法に関する。
【背景技術】
【０００２】
従来、河川や海岸等の各種水域には、河川の氾濫や外海からの波浪等を防ぐために、堤防や防波堤といった堤が設けられている。
このような堤は通常コンクリートによって形成されるが、年月の経過による地盤沈下、地球温暖化現象による海水面の上昇、高潮や異常潮位等に対応するため、完成後に既設堤を嵩上げする必要が生じる場合がある。
【０００３】
一般に既設堤を嵩上げするには、図８及び図９に示すように、既設堤２に新たにコンクリート８を追加打設する方法が行われる。この場合、現地では構造物本体のコンクリート打設用の床掘、作業用足場、差し筋、型枠の組み立て等をする必要がある。
また、図８及び図９に示すように、既設堤のコンクリート前面または背後の裾広がりを大きくする必要がある。
【０００４】
一方、特許文献１には、断面Ｌ字形のプレキャスト板を既設堤の上面と側壁に合わさるように固定して、プレキャスト板の厚み分だけ既設堤を嵩上げする発明が記載されている。
さらに、特許文献２には、内部に河川水や海水等の流体を導入することができる中空箱状体を既設提の上面に固定して、既設提を嵩上げする発明が記載されている。
【特許文献１】特開平４−３３６１０５号公報
【特許文献２】特開２００２−３３２６２２号公報
【発明の開示】
【発明が解決しようとする課題】
【０００５】
しかし、図８及び図９に示すような、新たにコンクリートを追加打設する方法によれば、現地では構造物本体のコンクリート打設用の床掘、作業用足場、差し筋、型枠の組み立て等が必要となり、またコンクリート打設を何回かに分けて行わなければならないなど、全体として工事期間が長くなる。そのため、事故の発生確率が増加する等、作業の安全上の問題が生じる。
また、多量のコンクリートを使用するため、コンクリートが海に流出して水質汚濁を生じるおそれがある。
さらに、既設堤のコンクリート前面または背後の裾広がりを大きくする必要があり、嵩上げする高さによっては、既設堤に対して悪影響を与えることがある。
【０００６】
一方、特許文献１に記載された発明によれば、事前に製造したプレキャスト板を現地で既設堤に固定するので現場作業が短縮されるものの、ある程度の嵩上げの高さを確保しようとすれば、プレキャスト板の厚みを大きくする必要があるため、重量増加による既設堤への悪影響が懸念される。
【０００７】
さらに、特許文献２に記載された発明によれば、実質的な重量増加を抑制しつつ、既設提の嵩上げをすることができるが、既設堤の幅や形状に合わせて固定部材を用意する必要があり、煩雑である。
【０００８】
そこで、本発明は上記従来の課題を解決するためのものであり、河川や海岸等の各種水域に設置された既設堤を嵩上げする場合に、既存堤への影響が小さく、容易に施工可能な嵩上げ堤、及び既設堤の嵩上げ方法を提供することを目的とする。
【課題を解決するための手段】
【０００９】
上記従来の課題を解決するために、請求項１に係る発明の嵩上げ堤は、河川や海岸等の各種水域に設置された既設堤（２）を嵩上げするための嵩上げ堤（１）において、断面略コ字形で前記既設堤（２）方向に開口部を有し、前記既設堤（２）の上端部との間に中空部を形成する平板連結体（３）と、前記平板連結体（３）の内側に突出し、前記既設提（２）の上端部に当接して既設提（２）に対する垂直方向の位置を決める位置決め部（５）と、前記平板連結体（３）の両側板（４，４）を前記既設堤（２）の上部両側壁に固定する固定部材（７）とからなることを特徴とする。
【００１０】
また、請求項２に係る発明は、請求項１に記載の発明において、前記平板連結体（３）の両側板（４，４）を連結する棒状の連結部（６）をさらに備えることを特徴とする。
【００１１】
また、請求項３に係る発明は、請求項１又は請求項２に記載の発明において、前記平板連結体（３）は、断面略Ｌ字形の２枚の平板（３ａ，３ｂ）を上部で合わせてなり、幅調整可能な連結具（３ｅ）を介して合わせ幅を増減することにより前記平板連結体（３）の幅方向の間隔を調整可能としたことを特徴とする。
【００１２】
また、請求項４に係る発明は、請求項１乃至請求項３のうちいずれか一つに記載の発明において、前記平板連結体（３）は、長手方向に延びるヒンジ部（３ｄ）を設けることにより、少なくとも一方の側板（４）の下端部を折曲可能な可変プレート（３ｃ）としたことを特徴とする。
【００１３】
また、請求項５に係る発明は、請求項１乃至請求項４のうちいずれか一つに記載の発明において、前記平板連結体（３）の両側板（４，４）のうち、前記各種水域に設置したときに沖側部位となる側板（４）に、上部と下部が沖側に向かって迫り出すような湾曲面（１０）が設けられたことを特徴とする。
【００１４】
また、請求項６に係る既設堤の嵩上げ方法は河川や海岸等の各種水域に設置された既設堤（２）の嵩上げ方法において、断面略コ字形で内側に突出した位置決め部（５）を設けた平板連結体（３）を、開口部を前記既設堤（２）方向に向け、かつ前記位置決め部（５）を前記既設堤（２）の上端部に当接し、さらに前記平板連結体（３）の両側板（４）を前記既設提（２）の上部両側壁に固定して嵩上げすることを特徴とする。
【００１５】
また、請求項７に係る発明は、請求項６に記載の発明において、前記平板連結体（３）は、断面略Ｌ字形の２枚の平板（３ａ，３ｂ）を上部で合わせてなり、幅調整可能な連結具（３ｅ）を介して合わせ幅を増減することにより前記平板連結体（３）の幅方向の間隔を調整可能としたことを特徴とする。
【００１６】
なお、括弧内の記号は、発明を実施するための最良の形態および図面に記載された対応要素または対応事項を示す。
【発明の効果】
【００１７】
本発明によれば、既設堤を嵩上げするための嵩上げ堤を構成する平板連結体は、断面略コ字形で既設堤方向に開口部を有し、既設堤の上端部との間に中空部を形成するので、嵩上げ堤自体の重量は、同一容積をもつように構成されたコンクリートブロック等と比較して極めて小さく、重量増加を抑制することができる。従って、既設堤への影響を小さくすることができる。
【００１８】
また、本発明によれば、平板連結体の内側に突出した位置決め部を設けているので、平板連結体を既設提の上から覆い被せていき、位置決め部が既設提の上端部に当接した位置で平板連結体を固定することにより、既設提に対する垂直方向の位置決めを容易に行うことができる。
【００１９】
また、本発明によれば、平板連結体の両側板を既設提の上部両側壁に固定部材により固定するので、容易に固定することができる。
【００２０】
また、本発明によれば、平板連結体の両側板を連結する棒状の連結部をさらに備えるので、連結部の長さを調整することにより、平板連結体をより強固に既設提に固定することができるとともに、連結部が梁の役割を果たすことにより平板連結体の剛性を高めることができる。
【００２１】
また、本発明によれば、平板連結体が断面略Ｌ字形の２枚の平板を上部で合わせてなり、幅調整可能な連結具を介して合わせ幅を増減することにより平板連結体の幅方向の間隔を調整することができる。従って、上端部の幅が異なる既設提であっても、所定の範囲内であれば合わせ幅を調整して対応できるので、嵩上げ堤の汎用性を高めることができる。
【００２２】
また、本発明によれば、平板連結体に長手方向に延びるヒンジ部を設けることにより、少なくとも一方の側板の下端部を折曲可能な可変プレートとするので、既設提の上端部と側壁面のなす角度が鋭角又は鈍角であった場合にも、その角度に合わせて可変プレートを折曲することができる。従って、平板連結体の側板下端部を既設提に密着させて強固に固定することができる。
【００２３】
また、本発明によれば、平板連結体の両側板のうち、各種水域に設置したときに沖側部位となる側板に、上部と下部が沖側に向かって迫り出すような湾曲面を設けるので、平面状の場合よりも波をはね返す能力を高めることができる。
【発明を実施するための最良の形態】
【００２４】
次に、図１及び図２を参照して、本発明の実施形態１に係る嵩上げ堤について説明する。
図１は本発明の実施形態１に係る嵩上げ堤を、河川や海岸等の各種水域に設置された既設堤に固定した状態を示す斜視図であり、図２は図１の断面図である。
【００２５】
実施形態１に係る嵩上げ堤１は、平板連結体３、位置決め部５、固定部材７、及び連結部６から構成される。
平板連結体３は、平行に配置された２枚の側板４，４と天板９を連結してなる断面略コ字形の連結体であり、既設提２の方向に開口部を有し、既設提２の上端部との間に中空部を形成している。
また、陸地側の側板４の下端部は、既設提２の上端部と側壁面のなす角度に合わせて折曲されている。
平板連結体３の材質としては、鋼材やＦＲＰ（繊維強化プラスチック）等が用いられる。
【００２６】
平板連結体３の両側板４，４の内側には、板状の部材である位置決め部５が突出して設けられている。そして、位置決め部５が既設提２の上端部に当接することにより、既設提に対する垂直方向の位置を決めている。
また、固定部材７はアンカーボルトであり、平板連結体３の両側板４，４を既設提２の上部両側壁にねじ止めして固定している。
また、平板連結体３の両側板４，４の間には、棒状の連結部６が設けられ両側板４，４を連結している。連結部６は長尺のボルト、及び該ボルトに通され両側板４，４を挟み込んで固定するナットから構成され、両側板４，４の間隔を調整することができるようになっている。
【００２７】
次に実施形態１に係る嵩上げ堤１を既設堤２に固定して既設提２を嵩上げする方法について説明する。
嵩上げ堤１は、工場等で事前に製造され既設堤２の設置された現場に運ばれる。現場では、まず平板連結体３の開口部を既設提２の上端部に向け、平板連結体３を既設提２に覆い被せていく。そして、平板連結体３の両側板４，４の内側に設けられた位置決め部５が、既設提２の上端部に当接した位置で制止する。
続いて、平板連結体３の両側板４，４の下端部を、既設提２の上部両側壁にアンカーボルトである固定部材７によりねじ止めして固定する。
このとき、連結部６の長さを調整することにより、両側板４，４の下端部と既設提２の上部両側壁に隙間が生じないようにする。
なお、既設提２を嵩上げする距離が長い場合には、嵩上げ堤１を複数のブロックに分割しておき、各ブロックを既設提２上で互いに連結させればよい。
【００２８】
実施形態１に係る嵩上げ堤によれば、既設堤２を嵩上げするための嵩上げ堤１を構成する平板連結体３は、断面略コ字形で既設堤２方向に開口部を有し、既設堤２の上端部との間に中空部を形成するので、嵩上げ堤１自体の重量は、同一容積をもつように構成されたコンクリートブロック等と比較して極めて小さく、重量増加を抑制することができる。従って、既設堤２への影響を小さくすることができる。
また、平板連結体３の内側に突出した位置決め部５を設けているので、平板連結体３を既設提２の上から覆い被せていき、位置決め部５が既設提２の上端部に当接した位置で平板連結体３を固定することにより、既設提に対する垂直方向の位置決めを容易に行うことができる。
【００２９】
また、平板連結体３の両側板４，４を既設提２の上部両側壁に固定部材７により固定するので、容易に固定することができる。
また、平板連結体３の両側板４，４を連結する棒状の連結部６をさらに備えるので、連結部６の長さを調整することにより、両側板４，４の下端部と既設提２の上部両側壁に隙間が生じないようにして、平板連結体３をより強固に既設提２に固定することができる。さらに、連結部６が梁の役割を果たすことにより平板連結体３の剛性を高めることができる。
【００３０】
また、嵩上げ堤１は事前に工場等で製造されて、既設堤２の設置された現場に運ばれるので、現場作業が短縮され工事の安全性の向上を図ることができる。また、コンクリートを用いないので、コンクリート流出による水質汚濁の恐れもない。
【００３１】
なお、実施形態１では位置決め部５を板状の部材としているが、これに限らず平板連結体３を既設提２に覆い被せたときに、所定の位置で既設提２の上端部と当接して制止することができるものであれば、どのような形状であってもよい。
また、固定部材７は平板連結体３の両側板４，４を既設提２の上部両側壁に固定できるものであればアンカーボルトに限られない。
また、連結部６を設けない場合は、固定部材７の数を増やすなどして、平板連結体３を既設提２に強固に固定すればよい。
さらに、平板連結体３の内部に、強度を確保するための梁等の補強材を配置してもよい。
【００３２】
次に図３乃至図６を参照して、本発明の実施形態２に係る嵩上げ堤について説明する。
図３は本発明の実施形態２に係る嵩上げ堤を、河川や海岸等の各種水域に設置された既設堤に固定した状態を示す斜視図であり、図４は図３の断面図である。
また、図５は実施形態２に係る嵩上げ堤の連結具を示す平面図と断面図であり、図６は実施形態２に係る嵩上げ堤のヒンジ部と可変プレートを示す斜視図である。
【００３３】
実施形態２に係る嵩上げ堤１は、実施形態１とほぼ同様の構成であるが、以下の２点が相違する。
第１点として、図３及び図４に示すように、実施形態２に係る嵩上げ堤１の平板連結体３は、断面略Ｌ字形の２枚の平板３ａ，３ｂを上部で合わせてなり、幅調整可能な連結具３ｅを介して合わせ幅を増減することにより平板連結体３の幅方向の間隔が調整可能となっている。
図５に示すように、Ｌ字形平板３ａのＬ字形平板３ｂと合わさる部分は、Ｌ字形平板３ｂの厚さだけ凹んでおり、かつＬ字形平板３ａ，３ｂを貫通する長孔が設けられている。そして、その長孔にボルトとナットからなる連結具３ｅが差し込まれている。所望の合わせ幅となったときに、連結具３ｅを締め付けて固定する。
【００３４】
第２点として、図６に示すように、平板連結体３を構成するＬ字形平板３ｂには、長手方向に延びるヒンジ部３ｄが設けられており、Ｌ字形平板３ｂの下端部は折曲可能な可変プレート３ｃになっている。可変プレート３ｃは、既設提２の側壁面に対して近づいたり離れたりする方向に自由に動くことができる。
【００３５】
なお、実施形態２では、上記の第１点及び第２点の相違点について両方適用した形態を示しているが、いずれか一つを適用してもよい。
【００３６】
次に実施形態２に係る嵩上げ堤１を既設堤２に固定して既設提２を嵩上げする方法について説明する。
実施形態２に係る嵩上げ堤２も、実施形態１と同様に既設提２に固定されるが、固定される前に連結具３ｅを介してＬ字形平板３ａ，３ｂの合わせ幅を増減し、平板連結体３の幅方向の間隔を既設提２に合わせて調節する。
また、既設提２の上端部と側壁面のなす角度に合わせて可変プレート３ｃを調整して、平板連結体３の側板４の下端部を既設提２に密着させる。
【００３７】
実施形態２に係る嵩上げ堤によれば、平板連結体３が断面略Ｌ字形の２枚の平板３ａ，３ｂを上部で合わせてなり、幅調整可能な連結具３ｅを介して合わせ幅を増減することにより平板連結体３の幅方向の間隔を調整することができる。従って、上端部の幅が異なる既設提２であっても、所定の範囲内であれば合わせ幅を調整して対応できるので、嵩上げ堤の汎用性を高めることができる。
【００３８】
また、平板連結体２に長手方向に延びるヒンジ部３ｄを設けることにより、側板４の下端部を折曲可能な可変プレート３ｃとするので、既設提２の上端部と側壁面のなす角度に合わせて可変プレート３ｃを折曲することができる。従って、平板連結体３の側板４下端部を既設提２に密着させて強固に固定することができる。
【００３９】
なお、実施形態２においては、可変プレート３ｃを片側の平板４に設けたが、両側の平板４，４に設けてもよい。
さらに、既設提２の上端部と側壁面のなす角度が鋭角又は鈍角のいずれの場合にも、既設提２に密着させることが可能である。
【００４０】
また、図７に破線で示すように、平板連結体３の両側板４，４のうち、各種水域に設置したときに沖側部位となる側板４に、上部と下部が沖側に向かって迫り出すような湾曲面１０を設けることが好ましい。
これにより、平面状の場合よりも波をはね返す能力を高めることができる。
【図面の簡単な説明】
【００４１】
【図１】実施形態１に係る嵩上げ堤を、既設堤に固定した状態を示す斜視図である。
【図２】図１の断面図である。
【図３】実施形態２に係る嵩上げ堤を、既設堤に固定した状態を示す斜視図である。
【図４】図３の断面図である。
【図５】実施形態２に係る嵩上げ堤の連結具を示す平面図と断面図である。
【図６】実施形態２に係る嵩上げ堤のヒンジ部と可変プレートを示す斜視図である。
【図７】別の実施形態に係る嵩上げ堤の断面図である。
【図８】従来例に係る既設堤を嵩上げした状態を示す断面図である。
【図９】従来例に係る既設堤を嵩上げした状態を示す断面図である。
【符号の説明】
【００４２】
１      嵩上げ堤
２      既設提
３      平板連結体
３ａ      Ｌ字形平板
３ｂ      Ｌ字形平板
３ｃ      可変プレート
３ｄ      ヒンジ部
３ｅ      連結具
４      側板
５      位置決め部
６      連結部
７      固定部材
８      コンクリート
９      天板
１０      湾曲面
【図１】
2006045814.tif 000003
【図２】
2006045814.tif 000004
【図３】
2006045814.tif 000005
【図４】
2006045814.tif 000006
【図５】
2006045814.tif 000007
【図６】
2006045814.tif 000008
【図７】
2006045814.tif 000009
【図８】
2006045814.tif 000010
【図９】
2006045814.tif 000011